(57)【特許請求の範囲】
【請求項１】
建物の窓の内側部分のための爆風遮蔽装置であって、
開放織りの織布に織成され高度の光が該織布を通って伝達されるとともに依然として透視できるようになっている高張力繊維からなる爆風遮蔽パネルと、
前記爆風遮蔽パネルが取付けられた動的保持装置であって、前記内側部分に関連作動するよう取付けられまた前記織布を外部の爆風による衝撃を受けたときに巻きほどき建物の中にふきあげ、それにより前記爆風によって生じた飛散するガラスと破片を保有する、動的保持装置、
とを具備している爆風遮蔽装置。
【請求項２】
前記動的保持装置が前記パネルの一端の固定された緊張保持器と前記パネルの他端の動的緊張保持器とを具備している請求項１に記載の爆風遮蔽装置。
【請求項３】
前記開放織りの織布の長手部分が前記動的緊張保持器の周りに巻かれまた前記織布が前記衝撃を受けたとき前記動的保持器が取付けられた表面から分離することなく該保持器から巻きほどかれる請求項２に記載の爆風遮蔽装置。
【請求項４】
前記動的保持装置が前記パネルの上端の上側動的緊張保持器と前記パネルの下端の下側動的緊張保持器とを具備している請求項１に記載の爆風遮蔽装置。
【請求項５】
前記高張力繊維がデニール当り２５グラムより大きい靱性を有する繊維からなっている請求項１に記載の爆風遮蔽装置。
【請求項６】
高張力繊維が、特別の強度のために各交差部において解けないように熱接着された押出し被覆ポリエチレン繊維を含んでなる、請求項５に記載の爆風遮蔽装置。
【請求項７】
建物の窓の内側部分のための爆風遮蔽装置であって、
開放織りの織布に織成され高度の光が該織布を通って伝達されるとともに依然として透視できるようになっている高張力繊維からなる爆風遮蔽パネルを具備し、
前記爆風遮蔽パネルが固定された上側及び下側の緊張保持器によって前記内側部分に関連作動するよう取付けられ、それにより爆発によって生じた飛散するガラスと破片を保有するようにしている
爆風遮蔽装置。
【発明の詳細な説明】
【０００１】
本出願は、参照例によって合体された主題を含む全体の開示が明細書に含まれている、１９９７年９月１６日に出願された米国暫定出願第６０／０５９，０２９号の特権に関しまたこれを請求するものである。
【０００２】
発明の背景
１．発明の分野
本発明は広くは建築物を外部の爆発による風や一定の自然災害による危険の多い作用から保護する装置に関し、そして特に建物の窓又は他の部分に適用され爆破し又は粉砕されたガラスや飛び散る破片の作用を軽減することのできる防護遮蔽体に関する。
２．関連分野
外部の爆発やある自然災害においては、被害や損傷の高い比率は飛散する破片から生じ、特に建物の窓からのガラスや粒子から生じる。
【０００３】
この問題を処理するため種々の試みがなされてきた。１つの方法は防護薄膜を窓に施すことである。これは飛散するガラスや破片の量を減少させるが、依然として損害や損傷を生じるガラスや薄膜の大きな破片をもたらすものとなる。薄膜は比較的寿命が短かくまた紫外線による劣化を受け薄膜とその接着剤とに破壊が生じる。またより厚い薄膜と積層体とに伴って生じる切り離せない問題がある。
【０００４】
もう１つの方法は、窓の領域に爆風カーテンを取付けることを含んでいる。これらの爆風カーテンはしかし、これを引き開けることによる潜在的な損傷に対しては効果のないものとなる。さらにまた、大概の実施態様においては、特別の織布が窓の内側下方の底部容器の中に貯蔵され、この織布は見苦しくまたほこりやごみを集め、そのため定期的な清掃を必要とする。
【０００５】
さらに他の方法は窓の開口部に強い積層したガラスを用いることを含んでいる。このような設備の周りの枠組の強度の要求は大きなものであり、その理由は枠（フレーム）はこの設備一式が爆発時に建物構造から分離しないようにするには少なくとも積層された設備一式と少なくとも同じ荷重に耐えることができなければならないからである。この新しい構造と改造とにおいては、このようなフレームの形成は非常に高価なものとなる。
【０００６】
これらのまた他の欠点は爆風を軽減するための従来の方法と装置に存在している。
発明の概要
好ましい実施態様において、本発明は開放織りの織布に織成されそれにより高度の光が織布を通って伝達されしかも依然としてすけて見えるようにした高抗張力繊維からなる爆風防護パネルを提供する。この織布は固定されるか動くよう（動的）にされる保持装置を用いて取付けられ、織布を巻きほどき建物の中へとふくれあげさせ、飛散するガラスと破片を保有するようにする。この保持装置は好ましくは、その周りに長い繊維が巻かれまた繊維を保持器のケースから又は保持器が取付けられる表面から分離することなく巻きほどくことのできる上側の固定された緊張保持器と下側の動的緊張保持器とを含んでいる。
【０００７】
本発明の上記のまた他の特徴は、各図面を通して同一符号が同一部分を示す添付図面に示される好適な実施態様についての以下のさらに詳細な記載から明らかとなるであろう。これらの図面は必ずしも共通の尺度とはなっておらず、その代わりに本発明の原理を示すための強調がなされている。
詳細な記載
図１，２ａ及び２ｂを参照すると、爆風軽減のための防護窓遮蔽体が好ましくは建物のガラス窓２７に対して内側部分に取付けられる。取付け構造が図２ａと２ｂに詳細に記載されている。爆風遮蔽パネル６が動的保持装置によって上方位置と下方位置で保持され、織布を巻きほどき建物の中にふくれあげさせ、それにより飛び散るガラスと破片を織布の中に収容できるようにする。動的緊張保持器は好ましくは約１．３ポンド／インチのばね定数を有している。
【０００８】
図１，２ａ及び２ｂの実施態様のための保持装置は好ましくは１０インチ保持ループ２６が爆風防護パネル６の各端部に熱接着された上側及び下側の動的緊張保持器７を含んでいる。この保持ループはさらにねじを有する爆風遮蔽パネル強化バー（図３の符号１７参照）によって動的緊張保持器７に固定される。各保持器ケース５は好ましくは３回巻きの爆風遮蔽パネル６を貯蔵し適当な動的な解放と抵抗とが得られるようにする。
【０００９】
動的緊張保持器７は鋼の締結具（図２ａ参照）によって恒久的な建物構造要素に堅く締結された取付けブラケット１を収容する保持器ケース５の内部に回動自在に取付けられている。取付けブラケット１はシャフトロック２とシャフトロックピン３とが設けられる。各動的緊張保持器７は好ましくは複合重合体構造と鋼の張力担持の０．５６インチ直径のシャフトを有している。フリーホイール保持器４が保持器ケース５の内部に設けられる。保持器ケースは好ましくは０．４インチの壁厚の高強度金属合金構造のケースでありまた内部取付け、外部取付け又は天井取付けができるようになっている。保持器ケース５は、０．０６２５ステンレス鋼アルミニウム合金のブラケット１によって恒久的な建物構造要素に近接して取付けられ、また装飾カバー８が設けられる。
【００１０】
図３は本発明の第２の実施態様を示し、また図４ａと４ｂは第２の実施態様のための取付け構造を示す。爆風遮蔽パネル１１０がその上方位置で爆風遮蔽パネル強化バー１１３により保持されまたその下方位置で織布を巻きほどき建物の中にふきあげる複式動的緊張保持器１６，３６によって保持され、それにより飛び散るガラスと破片が織布の中に収容できるようにする。
【００１１】
図３，４ａ及び４ｂの実施態様のための保持装置は好ましくは、締結具１４，１５により恒久的な建物構造要素に固定される上側爆風遮蔽パネル強化バー１１３を含んでいる。爆風遮蔽パネル１１０は強化バー１１３を包囲する熱接着された保持ループ４６によって爆風遮蔽パネル強化バー１１３に取付けられる。
図３，４ａ及び４ｂの実施態様のための保持装置は好ましくは１０インチ保持ループが爆風遮蔽パネル１１０に熱接着される下側複式動的緊張保持器１６を含んでいる。この保持ループはさらにねじを有する爆風遮蔽パネル強化バー１７により保持器ケース９に固定される。保持器ケース９は好ましくは５回巻きの爆風遮蔽パネル１１０を貯蔵し適当な動的解放と抵抗が得られるようにする。
【００１２】
複式動的緊張保持器１６は恒久的な建物構造要素に堅く締結される取付けブラケット１１２を含む保持器ケース９の内部に回動自在に取付けられる。保持器ケース９は好ましくは０．０４インチの壁厚の高強度金属合金構造からなり内部取付け、外部取付け、又は天井取付けができるようになっている。保持器ケース９は０．０６２５インチステンレス鋼ブラケット１１２によって恒久的な建物構造要素に近接して取付けられ、また装飾カバー１８が設けられる。
【００１３】
図５ａから５ｃは、爆風遮蔽パネル２５が上方位置と下方位置で、熱接着の保持ループ２４で爆風遮蔽パネル２５が取付けられる爆風遮蔽パネル強化バー２３により保持される。爆風遮蔽パネル強化バー２３はねじ２１６により恒久的な建物構造要素２１２に取付けられる。
図１〜５に示される爆風遮蔽パネルは好ましくは、デニール当り２５グラムより大きい靱性を有し各交差部が特別の強度のために熱接着され解きほどかれないようにする押出し被覆ポリエチレン繊維から織成された織布からなっている。好適な実施態様はアライドシグナル会社の“スペクトラ”生産ラインから商業的に入手できまたその全体の開示が参照例として本明細書に含まれている“繊維におけるダイヤモンドの強度”なる表題の文献にさらに詳細に記載されているような繊維を用いているが、しかし十分な引張り強さの任意の適当な繊維を用いてもよい。このような繊維は退色、かび、汚れ、及び紫外線劣化に耐える性能添加物と共に形成された重合体で被覆される。
【００１４】
この繊維は好ましくは、二重撚り“フルバスケット織り”メッシュの、好ましい適用では２５％開放構造を有する６５０デニール織布に織られる。１％から３０％の範囲の任意の開放織りもまた考えられる。５％から２５％の開放が大きな光伝達が得られまた高い爆風防護を保持するのに好ましく、この開放の度合は繊維を通過する光の伝達の所望の量に対して平衡される所望の爆風防護に依存して選択される。このようにして織られた材料は高度の光を伝達することができまた爆発による風に対して高い抵抗をもたらす。
【００１５】
作動時、外部の爆風はガラスと破片を窓の開口を通って伝達する。動的緊張の実施態様においては、爆風遮蔽パネルがその保持器から巻きほどかれ建物の中にふきあげられ、保持器ケースから又は爆風遮蔽パネル強化バーが取付けられた表面から分離することなく、十分に延びた状態で約１８０ポンドの最終パネル張力に達する。飛び散るガラスと破片は爆風遮蔽パネルの内部に収容される。より高い危険の発生に対し、高い強度のエアラインケーブル（図示しない）が壁と動的緊張保持器との間に取付けられ万一動的緊張保持器が爆風の間取付けブラケットから外れるようになったときの付加された安全構造として保持器を保持することができる。
【００１６】
図１，２ａ及び２ｂに示される装置は３５ポンド／平方インチの最大圧力を超える短時間（＜１ミリ秒）の爆風での飛び散るガラスと破片からの防護体を提供することができる。図３，４ａ及び４ｂに示される装置は３０ポンド／平方インチ、ミリ秒（レベルＣ、条件３ＧＳＡ防護定格）までの爆風衝撃での飛散するガラスと破片からの防護体を提供することができる。
【００１７】
本発明の爆風遮蔽パネルは上記のようなまた高度の光伝達性と透視を可能とする防護体を提供し、窓によってもたらされる視界と自然の明るさを維持しまた昼間の私生活ができるようにする。この爆風遮蔽パネルはまた昼間の明るさを制御する作用をしまたまぶしい光や熱の発生を減少し、そして窓ガラスの生産と組合わせて用いることができる。
【００１８】
本発明はその好適な実施態様を参照して詳細に図示されかつ記載されてきたが、当業者にとって種々の形式と細部との変更が本発明の精神と範囲から逸脱することなく行われることが理解されるであろう。
排他的な所有権又は特権が請求されている本発明の実施態様は以下のように規定されている。
【図面の簡単な説明】
【図１】  第１の実施態様による本発明の一定の特徴を示す分解斜視図である。
【図２ａ】  第１の実施態様による本発明の一定の特徴を示す垂直断面図である。
【図２ｂ】  第１の実施態様による本発明の一定の特徴を示す正面図である。
【図３】  第２の実施態様による本発明の一定の特徴を示す分解斜視図である。
【図４ａ】  第２の実施態様による本発明の一定の特徴を示す垂直断面図である。
【図４ｂ】  第２の実施態様による本発明の一定の特徴を示す正面図である。
【図５ａから５ｃ】  本発明の第３の実施態様による取付け装置の一定の特徴を示す一連の図である。
【図１】
0004021616.tif 000002
【図２ａ】
0004021616.tif 000003
【図２ｂ】
0004021616.tif 000004
【図３】
0004021616.tif 000005
【図４ａ】
0004021616.tif 000006
【図４ｂ】
0004021616.tif 000007
【図５ａ−ｂ】
0004021616.tif 000008